【手続補正書】
【提出日】平成29年3月22日(2017.3.22)
【手続補正１】
【補正対象書類名】特許請求の範囲
【補正対象項目名】全文
【補正方法】変更
【補正の内容】
【特許請求の範囲】
【請求項１】
検出光を出射する光出射部と、
操作面上で指示された指示位置を、前記検出光を用いて検出する第１の検出動作と、前記検出光以外の光を用いて検出する第２の検出動作と、を行う検出部と、
前記第２の検出動作で検出する位置と前記操作面上の位置とを対応付けるキャリブレーションを実行するキャリブレーション制御部と、を備え、
前記キャリブレーション制御部は、前記キャリブレーションの実行中に前記検出光の出射を制限すること、
を特徴とする位置検出装置。
【請求項２】
前記キャリブレーション制御部は、前記検出光以外の光を用いて実際の指示位置を検出することにより、前記第２の検出動作で検出する位置と前記操作面上の位置とを対応付ける操作式のキャリブレーションを実行し、前記操作式のキャリブレーションの実行中に前記検出光の出射を制限すること、を特徴とする請求項１記載の位置検出装置。
【請求項３】
前記検出部は、前記第１の検出動作で、前記検出光を反射する第１の指示体で反射する反射光に基づき、前記第１の指示体の指示位置を検出し、前記第２の検出動作で、発光機能を有する第２の指示体が発する光に基づき前記第２の指示体の指示位置を検出すること、を特徴とする請求項１または２記載の位置検出装置。
【請求項４】
前記検出部が前記第１の検出動作で検出される指示位置および前記第２の検出動作で検出される指示位置に対応して動作する通常動作モードを実行可能であり、
前記通常動作モードで、前記光出射部を、前記第２の指示体の発光と異なる発光パターンで発光させる出射制御部を備えること、を特徴とする請求項３記載の位置検出装置。
【請求項５】
前記光出射部は、可視領域外の光を発し、
前記検出部は、前記光出射部が発する可視領域外の光及び前記第２の指示体が発する可視領域外の光に基づき指示位置を検出すること、を特徴とする請求項３または４に記載の位置検出装置。
【請求項６】
前記操作面に画像を投射する投射部を備えたプロジェクターであること、を特徴とする請求項５記載の位置検出装置。
【請求項７】
前記投射部が投射する画像を撮影する撮像部を備え、
前記キャリブレーション制御部は、前記投射部によりキャリブレーション用の画像を投射した状態で前記撮像部が撮影した撮影画像に基づき、前記第２の検出動作で検出する位置と前記操作面上の位置とを対応付けるオートキャリブレーションを実行し、
前記オートキャリブレーションの実行中は前記検出光の出射を制限しないこと、を特徴とする請求項６記載の位置検出装置。
【請求項８】
前記検出部は、前記第１の指示体で反射した反射光および前記第２の指示体が発する光を共通の手段により検出すること、を特徴とする請求項３から７のいずれかに記載の位置検出装置。
【請求項９】
操作面を操作する第１及び第２の指示体の操作位置を検出する位置検出装置と、検出光を出射する光出射装置と、を備え、
前記位置検出装置は、
前記検出光を用いて指示位置を検出する第１の検出動作と、前記検出光以外の光を用いて指示位置を検出する第２の検出動作と、を行う検出部と、
前記第２の検出動作で検出する位置と前記操作面上の位置とを対応付けるキャリブレーションを実行するキャリブレーション制御部と、を備え、
前記キャリブレーション制御部は、前記キャリブレーションの実行中に前記検出光の出射を制限すること、
を特徴とする位置検出システム。
【請求項１０】
検出光を出射し、
操作面上で指示された指示位置を、前記検出光を用いて検出する第１の検出動作と、前記検出光以外の光を用いて検出する第２の検出動作と、を行い、
前記第２の検出動作で検出する位置と前記操作面上の位置とを対応付けるキャリブレーションを実行し、前記キャリブレーションの実行中に前記検出光の出射を制限すること、
を特徴とする位置検出装置の制御方法。
【手続補正２】
【補正対象書類名】明細書
【補正対象項目名】０００６
【補正方法】変更
【補正の内容】
【０００６】
また、本発明は、上記位置検出装置において、前記キャリブレーション制御部は、前記検出光以外の光を用いて実際の指示位置を検出することにより、前記第２の検出動作で検出する位置と前記操作面上の位置とを対応付ける操作式のキャリブレーションを実行し、前記操作式のキャリブレーションの実行中に前記検出光の出射を制限すること、を特徴とする。
本発明によれば、キャリブレーションの実行中に検出光の出射を制限することで、キャリブレーション中に指示位置を検出する場合に検出光の影響を防止できる。このため、キャリブレーションにおいて、より正確に、かつ効率よく指示位置を検出できる。
【手続補正３】
【補正対象書類名】明細書
【補正対象項目名】００３０
【補正方法】変更
【補正の内容】
【００３０】
画像処理部４０は、制御部３０の制御に従って、画像Ｉ／Ｆ部１２を介して入力される画像データを処理し、光変調装置駆動部４６に画像信号を出力する。画像処理部４０が実行する処理は、３Ｄ（立体）画像と２Ｄ（平面）画像の判別処理、解像度変換処理、フレームレート変換処理、歪み補正処理、デジタルズーム処理、色調補正処理、輝度補正処理等である。画像処理部４０は、制御部３０により指定された処理を実行し、必要に応じて、制御部３０から入力されるパラメーターを使用して処理を行う。また、上記のうち複数の処理を組み合わせて実行することも勿論可能である。
画像処理部４０はフレームメモリー４４に接続されている。画像処理部４０は、画像入力Ｉ／Ｆ部１２から入力される画像データをフレームメモリー４４に展開して、展開した画像データに対し上記の各種処理を実行する。画像処理部４０は、処理後の画像データをフレームメモリー４４から読み出して、この画像データに対応するＲ、Ｇ、Ｂの画像信号を生成し、光変調装置駆動部４６に出力する。
光変調装置駆動部４６は、光変調装置２２の液晶パネルに接続される。光変調装置駆動部４６は、画像処理部４０から入力される画像信号に基づいて液晶パネルを駆動し、各液晶パネルに画像を描画する。
【手続補正４】
【補正対象書類名】明細書
【補正対象項目名】００３１
【補正方法】変更
【補正の内容】
【００３１】
操作検出部１７は、入力デバイスとして機能するリモコン受光部１８および操作パネル１９に接続され、リモコン受光部１８及び操作パネル１９を介した操作を検出する。
リモコン受光部１８は、プロジェクター１０のユーザーが使用するリモコン（図示略）がボタン操作に対応して送信した赤外線信号を受光する。リモコン受光部１８は、上記リモコンから受光した赤外線信号をデコードして、上記リモコンにおける操作内容を示す操作データを生成し、制御部３０に出力する。
操作パネル１９は、プロジェクター１０の外装筐体に設けられ、各種スイッチおよびインジケーターランプを有する。操作検出部１７は、制御部３０の制御に従い、プロジェクター１０の動作状態や設定状態に応じて操作パネル１９のインジケーターランプを適宜点灯及び消灯させる。この操作パネル１９のスイッチが操作されると、操作されたスイッチに対応する操作データが操作検出部１７から制御部３０に出力される。
【手続補正５】
【補正対象書類名】図面
【補正対象項目名】図３
【補正方法】変更
【補正の内容】
【図３】
2015158888.tif 000001